(57)【要約】【課題】シンプルな構造で浴槽裏側の水を洗い場床上に排水することが可能なユニットバスを提供する。【解決手段】上端縁にリム部が形成された浴槽と、前記浴槽の一側面に隣接して配置され、且つ端部に土手部が形成された洗い場用防水パンと、前記浴槽のリム部と前記防水パンの土手部とを連結する連結材と、前記洗い場床パンの前記土手部及び前記浴槽の前記リム部の間に形成される開口を閉塞する着脱可能なバスエプロンと、前記浴槽裏側で漏れた水を受けるための水受け部材と、前記水受け部材で受けた水を、前記連結材に形成された貫通孔に導くための排水管部と、を備えたことを特徴とするユニットバスを提供する。【選択図】図３
2010082140.tif 000002
【特許請求の範囲】
【請求項１】
上端縁にリム部が形成された浴槽と、
前記浴槽の一側面に隣接して配置され、且つ前記浴槽側の端部に土手部が形成された洗い場用防水パンと、
前記浴槽のリム部と前記洗い場用防水パンの土手部とを連結する連結材と、
前記洗い場用防水パンの前記土手部及び前記浴槽の前記リム部の間に形成される開口を閉塞する着脱可能なバスエプロンと、
前記浴槽裏側で漏れた水を受けるための水受け部材と、
前記水受け部材で受けた水を、前記連結材に形成された貫通孔に導くための排水管部と、を備えたことを特徴とするユニットバス。
【請求項２】
前記連結材は、前記浴槽のリム部および前記洗い場用防水パンの土手部の両端部それぞれにて水密的に連結された１対の連結材から構成されており、
前記バスエプロンは、前記１対の連結材、前記浴槽のリム部、及び前記防水パンの土手部から成る枠部の全周を水密的に閉塞することが可能であり、
前記貫通孔は、前記バスエプロンの枠状に形成された水密部よりも外周側に形成されている
ことを特徴とする請求項１記載のユニットバス。
【請求項３】
前記排水管部は、可撓性を有する材料から形成された可撓部を有していることを特徴とする請求項１または２記載のユニットバス。
【請求項４】
前記水受け部材は、前記浴槽と追い炊きアダプタとの接続部から漏水した水を受ける部材であることを特徴とする請求項１〜３のいずれかに記載のユニットバス。
【請求項５】
前記水受け部材は、前記浴槽とブロー用アダプタとの接続部から漏水した水を受けるトレイであることを特徴とする請求項１〜３のいずれかに記載のユニットバス。
【請求項６】
前記水受け部材は、前記浴槽の下方に配置され、前記洗い場用防水パンとは別体で形成された浴槽用防水床パンであることを特徴とする請求項１〜３のいずれかに記載のユニットバス。
【発明の詳細な説明】
【技術分野】
【０００１】
本発明は、分割形成された洗い場用防水パン及び浴槽が隣接した状態で設置されたユニットバスに係り、特に浴槽裏側の漏水を洗い場床上に排水することが可能なユニットバスに関する。
【背景技術】
【０００２】
浴槽と洗い場用防水パンとバスエプロンとが分割され、浴槽のリム部に壁を設置するタイプのユニットバスがある。このようなユニットバスは、浴槽の下部に浴槽用防水パンが設置されていない。従って、浴槽と追い炊きアダプタとの接続部などで万が一、漏水が起きた場合には、建築床まで漏水してしまうことになる。そのため、特許文献１記載のように浴槽裏の漏水が起こりやすい個所等に水受け部材を取り付け、水受け部材で受けた水を洗い場床上に排水することが必要となる。
【０００３】
また、通常は浴槽の下部に浴槽用防水パンが無い仕様に対して、オプションなどで浴槽用防水パンを追加できるような構造を考えた場合、浴槽用防水パンに溜まった水を簡易的に洗い場床上に排水できるようにすることが好ましい。
【特許文献１】特開平８−２４３０５０号公報
【発明の開示】
【発明が解決しようとする課題】
【０００４】
特許文献１では、水受け部材の下流端を、洗い場用防水パンの土手部に接続することで、洗い場用防水パン上に水を排水する構造を取っている。洗い場用防水パンの土手部にはバスエプロンなども取り付けられるため、洗い場用防水パンとバスエプロンと水受け部材との取り合いが複雑となり、好ましくない。
【０００５】
本発明は、上述した問題に鑑み、シンプルな構造で浴槽裏側の水を洗い場用防水パン上に排水することが可能なユニットバスを提供することを目的とする。
【０００６】
本発明の一態様によれば、
上端縁にリム部が形成された浴槽と、
前記浴槽の一側面に隣接して配置され、且つ前記浴槽側の端部に土手部が形成された洗い場用防水パンと、
前記浴槽のリム部と前記洗い場用防水パンの土手部とを連結する連結材と、
前記洗い場用防水パンの前記土手部及び前記浴槽の前記リム部の間に形成される開口を閉塞する着脱可能なバスエプロンと、
前記浴槽裏側で漏れた水を受けるための水受け部材と、
前記水受け部材で受けた水を、前記連結材に形成された貫通孔に導くための排水管部と、を備えたことを特徴とするユニットバスを提供する。
【発明の効果】
【０００７】
本発明によれば、シンプルな構造で浴槽裏側の水を洗い場用防水パン上に排水することが可能なユニットバスを提供することができる。
【発明を実施するための最良の形態】
【０００８】
以下、添付図面を参照して本発明におけるユニットバスの実施形態について説明する。図１は、本発明の第１実施形態によるユニットバスを示す分解斜視図である。
【０００９】
図１に示すように、本実施形態のユニットバスは、浴槽架台上に設置された浴槽１と、洗い場架台上の浴槽１と隣接した位置に設置された洗い場用防水パン２と、大型バスエプロン３および小型バスエプロン４と、一対の連結材５ａ、５ｂとが分割形成されている。浴槽１は、浴槽水を貯留可能な内槽部１ａと、内槽部１ａの上縁部全周に形成されたリム部１ｂとを有する。浴槽１の上縁部に形成されたリム部１ｂのうち、洗い場用防水パン２と隣接する辺を除く３辺に壁パネルを設置するための壁設置部が形成されたユニットバスである。尚、本実施形態では、浴槽１の下部に浴槽用防水パンが設置されていない。
【００１０】
上記のようなユニットバスは、合理的かつシンプルな構成となっており、そのため低コストであるという長所を有する。また、現場への搬入性や据付時の取り回し、保守の容易性、更にはユーザーの高級感に対する要望に答えやすいといったメリットがある。
【００１１】
洗い場用防水パン２の上面は、排水トラップが取設される排水口部に向かって下り勾配が形成されている。洗い場用防水パン上に流れ落ちた水は、排水口部に導かれ、排水トラップを介して、浴室外部に排出される。また、洗い場用防水パン２の浴槽１側端辺には、一段高く形成された水返し用の土手部２ａが形成されている。さらに、土手部２ａ両端部における洗い場用防水パン２側には、一段低く形成された凹部２ｂが形成されている。尚、凹部２ｂよりも浴槽１側には凹部２ｂより高く形成された水返しが残るように形成されている。
【００１２】
洗い場用防水パン２側に位置する辺の浴槽リム１ｂの裏側の端部には、下方に垂下形成された前垂れ部と、前垂れ部より内側に同じく垂下形成されたリブ部とが形成されている。
【００１３】
図２に示すように、浴槽１のリム部の裏側と、洗い場防水パン２の土手部の上部との間を連結するように一対の連結材５ａ、５ｂが取り付けられている。これら一対の連結材５ａ、５ｂは、浴槽１および洗い場用防水パン２の隣接辺の両端部それぞれにて水密的に連結されている。より具体的には、それぞれの連結材５ａ、５ｂの上端部は、浴槽１の前垂れ部とリブ部の間に挿着され、それぞれの連結材５ａ、５ｂの下端部は、洗い場用防水パン２の土手部２ａに形成された凹部２ｂに嵌め込まれた状態で取り付けられている。
【００１４】
さらに、図２、図３で示すように、一方の連結材５ａには、後述する排水管部６を導くための貫通孔７が設けられており、浴槽１側から固定バンド８によって排水管部６の端部が水密的に連結されている。この貫通孔７は連結材５ａを挟んで、浴槽１裏側と、洗い場用防水パン２側とを連通するための孔である。
【００１５】
一対の連結材５ａ、５ｂにおける洗い場用防水パン２側の前面と、土手部２ａにおける洗い場用防水パン２側の前面と、浴槽１におけるリブ部の洗い場用防水パン２側の前面とは、フラットな枠状平面になるように配置されている。この枠状平面に対して、枠状に形成された水密パッキンが取り付けられたバスエプロンを嵌め込むことで、洗い場用防水パン２側からの水が浴槽裏側に漏れないように止水を取っている。また、連結材５ａには、管通孔７とは別に、浴槽２裏側から立ち上がった給水管および給湯管を、浴槽１裏側から洗い場用防水パン２側に持ってくるための排管通り口１７が形成されている。尚、上述した貫通孔７は、バスエプロン３、４の枠状に形成された水密ラインよりも外周側に形成されている。つまり、排水管部６から貫通孔７に流れ込んだ水は、洗い場用防水パン２上に排水される。
【００１６】
また、上述した本実施形態によるユニットバスにおいては、浴槽１の下部に浴槽用防水パンが設置されていないため、図４に示すような浴槽１と追い炊きアダプタの接続部や浴槽とブロー配管の接続部、または（図示しない）給水給湯立ち上げ排管における建築側とユニットバス側の接続部などで、万が一、漏水が起きた場合には、建築床まで漏水してしまうことになる。そのため、浴槽１裏の漏水が起こりやすい個所等に、水受け部材９を取り付け、水受け部材９内の水を洗い場用防水パン２上に排水することが必要となる。
【００１７】
そこで、本実施形態によるユニットバスにおいては、水受け部材９からの水を洗い場用防水パン２上に排水するため、水受け部材９と連結材５ａに形成された貫通孔７とを可撓性を有する材料から形成された排水管部６で水密的に連結している。
【００１８】
これにより、水受け部材９からの水が、水受け部材９に形成された孔と水密的に連結された排水管部６を通り、水密的に連結された連結材５ａの貫通孔７へと導かれ、連結材５ａに形成された貫通孔７より洗い場防水パン２上へと排水される。尚、水受け部材９の溢れ面よりも、排水管部６の全体および連結材５ａの貫通孔７は低い位置に形成されていることが必要である。より好ましくは、水受け部材９の下面に排水管部６が取り付けられ、連結材５ａの貫通孔７に向かって、常に下り傾斜するように排水管部６が配設されていることが好ましい。このようにすることで、排水管部６および水受け部材９内に水が残ることがないため、好ましい。
【００１９】
このように、洗い場防水パン２上に浴槽１裏側の水が排水されるため、浴槽１裏側で漏水が起きていることを、使用者が気付くことができる。例えば、水受け部材９からの水を排水トラップ内に導く形態の場合は、使用者は、浴槽１裏側で漏水が起きていることを気付くことができない。また、排水トラップに接続する形態では、排水トラップ内の水が排水管部内に流れ込むと、排水管部内が汚れで詰まるおそれなどがあるが、本実施形態であれば、排水管部６内を清潔な状態で利用することができる。また、バスエプロン３，４を取り外すだけで清掃も可能であり、交換する際も、構造体を解体するなどの大掛かりな作業が不要である点で、メリットがある。
【００２０】
また、排水管６と水密的に連結された連結材５ａの、洗い場防水パン側２表面はバスエプロン３，４により掩蔽されるため、洗い場防水パン側２からは目視できない。このため、貫通孔７なども隠れるため、意匠性を損なうこともない。
【００２１】
つぎに、本発明の第２実施形態によるユニットバスについて説明する。
本発明の第２実施形態によるユニットバスは、上述した第一実施形態と同様に浴槽１の下部に浴槽用防水パンが無い仕様に対して、オプションなどで浴槽用防水パンを追加できるような構造である。このような、オプションで浴槽用防水パンを追加できる仕様の場合、浴槽用防水パンは、浴室ユニットの構造体の一部を担わない。
【００２２】
この場合、浴槽用防水パンの底部は、連結材５ａに形成された貫通孔７よりも低い位置に形成されることとなるため、浴槽用防水パンに対する排水管部６の取り付け位置は、浴槽用防水パンの側面に形成されることとなる。つまり、浴槽用防水パンの所定水位以上の水が溜まった場合に、排水管部６を介して、貫通孔７から洗い場用防水パン２上に排水されることとなる。
【００２３】
本実施形態によれば、浴槽用防水パンに専用の排水トラップを設けたり、洗い場用防水パン２に取り付けられる排水トラップと合流させなくても、浴槽用防水パン内の水を排水することが可能となる。
【００２４】
また、浴槽用防水パンに専用のトラップや、洗い場に取り付けられる排水トラップと合流させる場合であっても、これらが万が一、詰まった場合でも、浴槽１裏側から建築床側に水が漏水することを防止することが可能となる。
【００２５】
以上述べた通り、オプションなどで浴槽用防水パンを追加した場合も、浴槽用防水パンと連結材５ａの貫通孔７を第一実施形態と同様の構造で水密的に連結させることで、浴槽用防水パンの水を洗い場用防水パン２上へと排水することが可能となる。
【図面の簡単な説明】
【００２６】
【図１】第１実施形態に係るユニットバスを示す分解斜視図である。
【図２】本発明の第１実施形態によるユニットバスを示す詳細図である。
【図３】本発明の第１実施形態によるユニットバスを示す詳細図である。
【図４】本発明の第１実施形態によるユニットバスを示す詳細図である。
【符号の説明】
【００２７】
１…浴槽、１ａ…内槽部、１ｂ…リム部、２…洗い場用防水パン、２ａ…土手部、２ｂ…凹部、３，４…バスエプロン、５ａ，５ｂ…連結材、６…排水管部、７…貫通孔、９…水受け部材、１７…排管通り口
【図１】
2010082140.tif 000003
【図２】
2010082140.tif 000004
【図３】
2010082140.tif 000005
【図４】
2010082140.tif 000006